(57)【要約】【課題】卓球用フェンスの固定及び取り外しの作業が誰にでも容易で、ぶつかっても裂傷を負う恐れが少なくかつ製造コストが低く抑えることができる、簡便で安全かつ安価である卓球用フェンス固定具を提供すること。【解決手段】頭頂部から十文字又は一文字に溝（３）を設けたゴム半球である半球部（２）と、前記半球部（２）の下部周囲に設けた円盤状のゴム板である円盤部（４）と、前記半球部（２）の裏面に設けたリング状の１又は複数のゴム突起であるエッジリング部を有し、前記溝（３）が、溝内に卓球用フェンスを挟み込み保持する手段を有する卓球用フェンス固定具（１）とすること。【選択図】図３
0003177634.tif 000002
【実用新案登録請求の範囲】
【請求項１】
頭頂部から十文字又は一文字に溝を設けたゴム半球である半球部と、前記半球部の下部周囲に設けた円盤状のゴム板である円盤部と、前記半球部の裏面に設けたリング状の１又は複数のゴム突起であるエッジリング部を有し、前記溝が、溝内に卓球用フェンスを挟み込み保持する手段を有することを特徴とする卓球用フェンス固定具。
【考案の詳細な説明】
【技術分野】
【０００１】
本考案は、卓球用フェンス固定具に関する。特に卓球の競技のために卓球用フェンスを立てて固定するための卓球用フェンス固定具に関する。
【背景技術】
【０００２】
卓球競技では、卓球用フェンスを設けてコートの競技領域を決める。競技場におけるコートの競技領域は、公式試合において、長さ１４ｍ、幅７ｍ、高さ５ｍ以上に定められている。さらに、４隅は長さ１．５ｍ以下のフェンスで斜めに囲むことができるとされている。ラージボールの場合には、長さ１０ｍ、幅５ｍ以上とされている。そして、競技領域は、高さ７５ｃｍ又は５０ｃｍのフェンスで仕切ることとなっている。このように、卓球競技の時に用いるフェンスを、本考案においては、「卓球用フェンス」とする。
【０００３】
卓球用フェンスは、一般には、スチール製の枠にネットを張ったものやこれにナイロン製等の生地のカバーをかけたものが一般的で、カバーには広告等が印刷されることも多い。本考案においては、卓球用フェンスには、決められたサイズであれば材質を問わないし、表面の印刷の有無や内容も問わず、フェンス面が網状になっているもののほか網状の面にカバーをかけたものや平板状になっているものも含む。また、卓球用フェンスには、床面に垂直に立てるもののほか、斜めに立てて用いるものも含む。
【０００４】
例えば、卓球用フェンスの幅が１．４ｍのフェンスを使って競技領域を決めるには、卓球用フェンスを３０台必要とする。その際、卓球用フェンスは、立てて固定する必要がある。従来、卓球用フェンスには、例えば底辺に直行し床面に平行な平板上又は棒状の足部を設けてフェンスを立設していた（特許文献１参照）。１つの卓球用フェンスの重量はスチール製の場合、足部も含めて４〜６ｋｇするものもあり、キャスターのついた運搬具等で持ち運ばなければならなかった。また、卓球用フェンスを斜めに立てるものについては、例えば、左右内側方向に折り曲げて設けた三角形のウイングを支えとして立設していた。
【先行技術文献】
【特許文献】
【０００５】
【特許文献１】特許第３７１７８３０号公報（図１）
【考案の概要】
【考案が解決しようとする課題】
【０００６】
しかし、上記文献に記載された卓球用フェンスの足部は、卓球用フェンスと一体となっていて、持ち運びが不便で、また、足部の角に接触してけがをする可能性があり、また一体のためコストが高いという問題があった。
【０００７】
したがって、本考案の目的は、簡便で安全かつ安価である卓球用フェンス固定具を提供することにある。
【課題を解決するための手段】
【０００８】
本考案の第１の態様は、上記目的を達成するため、頭頂部から十文字又は一文字に溝を設けたゴム半球である半球部と、前記半球部の下部周囲に設けた円盤状のゴム板である円盤部と、前記半球部の裏面に設けたリング状の１又は複数のゴム突起であるエッジリング部を有し、前記溝が、溝内に卓球用フェンスを挟み込み保持する手段を有することを特徴とする卓球用フェンス固定具を提供する。
【０００９】
本考案の第１の態様によれば、卓球用フェンスの固定及び取り外しの作業が誰にでも容易で、ぶつかっても裂傷を負う恐れが少なくかつ製造コストが低く抑えることができる卓球用フェンス固定具を提供することができる。
【考案の効果】
【００１０】
本考案の第１の態様によれば、簡便で安全かつ安価である。より詳細には、卓球用フェンスの固定及び取り外しの作業が誰にでも容易で、ぶつかっても裂傷を負う恐れが少なくかつ製造コストが低く抑えることができる。形状が丸く、表面が角張っておらず、またゴム製であるので、足が台座にぶつかってもけがをしにくい。
【図面の簡単な説明】
【００１１】
【図１】本考案の卓球用フェンス固定具の実施例１の使用例１を示す図である。
【図２】本考案の卓球用フェンス固定具の実施例１の使用例２を示す図である。
【図３】本考案の卓球用フェンス固定具の実施例１の斜視図である。
【図４】本考案の卓球用フェンス固定具の実施例１の使用方法（１）を示す図である。
【図５】本考案の卓球用フェンス固定具の実施例１の使用方法（２）を示す図である。
【図６】本考案の卓球用フェンス固定具の実施例２の斜視図である。
【図７】本考案の卓球用フェンス固定具の実施例２の裏面図である。
【図８】本考案の卓球用フェンス固定具の実施例２のＡ-Ａ´断面図である。
【図９】本考案の卓球用フェンス固定具の実施例２のＢ-Ｂ´端面図である。
【図１０】本考案の卓球用フェンス固定具の実施例２の使用例（１）を示す図である。
【図１１】本考案の卓球用フェンス固定具の実施例２の使用例（２）を示す図である。
【図１２】本考案の卓球用フェンス固定具の実施例２の使用例（２）の一部拡大図である。
【考案を実施するための形態】
【００１２】
以下、本考案の卓球用フェンス固定具について、添付図面を参照して実施例を用いて本考案の好適な実施の形態を具体的に説明するが、本考案はこれらに限定されるものではない。
【実施例１】
【００１３】
図１は、本考案の卓球用フェンス固定具の実施例１の使用例１を示す図である。本実施例の卓球用フェンス固定具は、卓球競技の競技領域を決めるため等に用いられる卓球用フェンスを立設するために使用する固定具である。図１において、卓球競技の会場で、卓球用フェンス（7）は、本実施例の卓球用フェンス固定具（１）で支え、床面に垂直に立設されている。
【００１４】
図２は、本考案の卓球用フェンス固定具の実施例１の使用例２を示す図である。図２において、卓球の試合風景の中で、卓球用フェンス（7）は、卓球台の周囲を囲んで多数並べてあり、本実施例の卓球用フェンス固定具（１）で支えている。卓球用フェンス（7）には、床面に垂直に立設されているもののほか、床面に斜めに立設されているものもある。
【００１５】
｛構造｝
図３は、本考案の卓球用フェンス固定具の実施例１の斜視図である。本考案の実施例１の卓球用フェンス固定具は、頭頂部から十文字又は１文字に溝（３）を設けたゴム半球である半球部（２）と、前記半球部（２）の下部周囲に設けた円盤状のゴム板である円盤部（４）と、前記半球部（２）の裏面に設けたリング状の１又は複数のゴム突起であるエッジリング部（５）を有する卓球用フェンス固定具（１）である。裏面のエッジリング部（５）は図３では図示していないが、図７に示した実施例２の裏面と同様に、同心円状に設けてある。実施例１の卓球用フェンス固定具は、より詳細には、球体を上下２つに分割した際の上部の半球部分である半球状のゴム塊である半球部（２）の底面の円周を円盤状のゴム板からなる鍔状の円盤部（４）が囲んでいて、半球部分には、頂点を９０度ずつ４つに分割する十文字の溝が、半球部分の頂点部から半球部分の下面部すなわち鍔状の円盤部（４）の上の部分まで設けてある。本実施例は、球体を上下２つに分割した際の上側の半球の分割面の周囲に鍔をつけた、ちょうど内部が詰まった帽子のような形状で、その頭頂部を縦半分横半分に切れ目を入れた形である。裏面は円平板で裏面全体に、外周に向け三角形のエッジを持つリングであるエッジリング部（５）が数周設けてある。本実施例は、全体がゴム製で、一体成型してある。
【００１６】
本考案の実施例１の卓球用フェンス固定具の大きさは、半球部（２）の半径が７ｃｍ、幅１ｃｍの十文字の溝（３）が、半球部（２）の下から０.５ｃｍの高さのところまで設けてあり、半球部（２）の下部を囲む帯（鍔）の部分である円盤部（４）は、幅が０．５ｃｍで、半球部分側である円盤部（４）の内側が、高さ１ｃｍで外側に向かって高さが徐々に減る。本実施例の卓球用フェンス固定具の底面は直径１５ｃｍである。かかる大きさであると種々の厚さの卓球用フェンスに対応でき、また安定性等の面からバランスが良いが、各部の大きさはこれに限定されない。たとえば、溝幅を０．８〜１．４ｃｍの任意の幅にしてもよい。また、直交する溝の幅を、一方の溝幅が０．８ｃｍ、他方の溝幅が１．２ｃｍとするように、幅が異なる溝としてもよい。幅広の溝の場合は、挟み込む卓球用フェンスの厚みが厚いものを垂直に立てる場合のほか、薄い卓球用フェンスを斜めに立てる場合に利用できる。
【００１７】
本考案の実施例１の卓球用フェンス固定具は、天然ゴムと合成ゴムをブレンドしたゴムで金型成型により一体成型してある。したがって、硬化劣化と軟化劣化のバランスがとれ、長期間の利用により劣化しても型くずれしくにい。半球部は十文字に分割された４つの八分の１球部分でなる。本実施例では各八分の１球部分の全てがゴムであるが、それぞれ、内部の一部が空洞であってもよい。たとえば、それぞれ裏面から円筒状にゴムが充てんされていない部分を設けてもよい。これにより、必要なゴム量が少なくて済み、さらなるコストダウンを可能にする。
【００１８】
溝(３)は、溝内に卓球用フェンスを挟み込み保持する手段を有する。本実施例では、溝の側面が上述した一体成型により形成される弾力性に富む側面であることや重量が十分あることがかかる手段として挙げられる。溝に高さのある卓球用フェンスを立てても倒れないし、外れにくい。
【００１９】
｛使用方法｝
図４は、本考案の卓球用フェンス固定具の実施例１の使用方法（１）を示す図である。本考案の実施例１の卓球用フェンス固定具（１）は、半球側を上にして、卓球競技を行う会場の卓球台の周りに競技領域をあけて並べて置いて、半球部（２）の十文字の溝（３）の一部または全部に卓球用フェンス（７）を挿入して使用する。図１０は、組み合わせて使う、段ボール製の卓球用フェンス（７）と卓球用フェンス固定具（１）とを組み合わせた図である。本実施例によれば、従来からあったスチール枠の卓球用フェンスのみならず、段ボール等も卓球用フェンスとして使用できる。高額なフェンスを用意していなくても、手近にあるものを卓球用フェンスとして利用できるので、使用者のコスト負担が少なくて済み、また専用のフェンスを補完する必要もなく、利便性が高い。また使用済みの段ボールの再利用ができ、環境にやさしい。
【００２０】
図５は、本考案の卓球用フェンス固定具の実施例１の使用方法（２）を示す図である。本考案の実施例１の卓球用フェンス固定具（１）は、半球側を下にして、互いに９０度の角度をなして隣り合っている２枚の卓球用フェンス（７）の接する角部分を、半球部（２）の十文字の溝（３）に挿入して使用する。かかる方法によれば、卓球用フェンス（７）がより強固に固定される。卓球用フェンス（７）の角部分の上端が尖っていても、その部分が卓球用フェンス固定具（１）でガードされているため、当たってけがをすることを防止できる。特に離れてしまいやすい角部分を固定できるため、卓球用フェンス（７）のぐらつきをより防止できる。
【００２１】
｛効果｝
本実施例によれば、卓球用フェンスの固定及び取り外しの作業が誰にでも容易で、ぶつかっても裂傷を負う恐れが少なくかつ製造コストが低く抑えることができる。本実施例の卓球用フェンス固定具は、形状が丸く、表面が角張っておらず、またゴム製であるので、足が台座にぶつかってもけがをしにくいので、けがが怖い競技者や骨が弱い高齢者や走り回る子供たちにも優しい。すなわち、本実施例によれば、簡便で安全かつ安価である。
【００２２】
また、怪我の心配がないだけでなく、形が崩れてしまうことがなく、弾力性があるので、卓球のボールや人の足などが当たっても、元の形に戻るため、耐久性に優れている。また、溝に板を挟むだけであるので、釘やネジ、接着剤などの固定用部品を用意する必要もなく、また、はじめから完成した形で製造されるので、立体的に組み立てる必要もない。設置や片付けが楽で、また、保管時には、多数個でも、そのまま段ボール箱などに一緒に投げ入れておくだけで済む。また、ゴムの柔らかい風合いで安心感が持てる。
【００２３】
ゴム製で金型による一体成型で製造されるので、切削や溶接、面取りが不要で、製造コストや製造工程が少なくて済む。
【００２４】
ゴム製で裏面の接地部分が比較的大きく平坦であるため、追従性がよく、したがって、金属性のように床を滑ることがなく、斜めの床でも設置することができる。さらに、裏面には、外側から内側中央に向かって高さが徐々に減る傾斜面を有する楔形であるテーパー状の突起のエッジリングが固定台座裏面中央を中心に同心円状に設けてあるので、床と固定台座との間の摩擦力が高く、しかも複数個設けてあるので、非常にずれにくい。したがって、床が斜めでも安定して設置することができる。なお、ずれが生じにくい面上にのみ置くことが想定されるものの場合は、エッジリングは１つでもよい。
【００２５】
また、十文字に溝がつけてあるので、卓球用フェンスを直線状に接続する場合のみならず、Ｌ字状、Ｔ字状、十字状のいずれの形に連結する場合でも対応可能で、しかも、卓球用フェンスの底辺側を挟むだけで済む。半球体の形状であり一点に荷重が集中しないうえ、ゴムで摩擦力があり、さらに裏面の突起でも支えるので、倒れにくい。半球体の形状であることによって安定感がある。また、本実施例では、周囲につばが設けてあるので、座りが良く安定性においてより優れる。本実施例は、高さが約７ｃｍくらいであるが、ゴム製で十分な重量があるため、ひとの高さくらいの段ボールを挟んでも十分に支えられる。
【００２６】
さらに、卓球用フェンスの厚みが一定でなくても螺子止め等する必要がない。また、溝の幅に比べ厚みがややある卓球用フェンスであっても、台座を手で持ち、板を入れる溝の両脇を裏面方向に押して溝を開くと板を挟み込むことができる。したがって、使用できる卓球用フェンスの厚みの許容範囲が広く、汎用性が高い。また、異種の材質・サイズの卓球用フェンスを使うことができ、便利である。
【００２７】
本実施例においては、天然ゴムと合成ゴムをブレンドした半球体であるので、弾性と摩擦力に優れ、応力に対してのズレが少なく、強度もあり衝撃にも強く、投げたり落下されたりしても壊れにくい。
【００２８】
さらに、金属と異なり、ゴムは製造時に着色が容易であるので、多種の色の台座を揃えることができる。また、表面に広告等を印刷することもできる。挟み込む卓球用フェンスの材質を問わないので、広告を印刷した使い捨ての段ボールを卓球用フェンスとすることもできる。これにより広告費の削減も可能になる。
【実施例２】
【００２９】
｛構造｝
図６は、本考案の卓球用フェンス固定具の実施例２の斜視図である。図７は、本考案の卓球用フェンス固定具の実施例２の裏面図である。図８は、本考案の卓球用フェンス固定具の実施例２のＡ-Ａ´断面図である。図９は、本考案の卓球用フェンス固定具の実施例２のＢ-Ｂ´端面図である。本考案の実施例２の卓球用フェンス固定具は、実施例１の卓球用フェンス固定具と構成がほぼ同じで、実施例２は円盤部（4）が幅広で、穴（６）がある点で実施例１と異なる。本考案の実施例１の卓球用フェンス固定具の大きさは、半球部（２）の半径が７ｃｍ、幅１ｃｍの十文字の溝（３）が、半球部（２）の下から０.５ｃｍの高さのところまで設けてあり、半球部（２）の下部を囲む帯（鍔）の部分である円盤部（４）は、幅が１．５ｃｍで、半球部分側である円盤部（４）の内側が、高さ１ｃｍで外側に向かって高さが徐々に減る。穴（６）は直径８ｍｍである。本実施例の卓球用フェンス固定具の底面は直径１７ｃｍである。かかる大きさであると種々の厚さの卓球用フェンスに対応でき、また安定性等の面からバランスが良いが、各部の大きさはこれに限定されない。たとえば、溝幅を０．８〜１．４ｃｍの任意の幅にしてもよい。また、直交する溝の幅を、一方の溝幅が０．８ｃｍ、他方の溝幅が１．２ｃｍとするように、幅が異なる溝としてもよい。本実施例では円盤部（４）には、アンカーなどを差し込む設けられた穴（６）が設けられているが、屋内用の卓球用フェンス固定具では穴（６）を設けなくてもよい。穴（６）は、屋外であっても強風に曝される等、特に必要がある場合のためであって、通常は自重と裏面のエッジリング部（５）で十分対応できる。実施例２では、ゴム製で裏面の接地部分が比較的大きく平坦であるため、追従性がよく、したがって、金属性のように床を滑ることがなく、斜めの床でも設置することができる。
【００３０】
｛使用方法｝
図１０は、本考案の卓球用フェンス固定具の実施例２の使用例（１）を示す図である。本考案の実施例２の卓球用フェンス固定具（１）は、半球側を上にして床や地面等に置いて、半球部（２）の十文字の溝（３）の一部または全部に段ボール等からなる卓球用フェンス（７）を挿入して使用する。図１０は、卓球用フェンス（７）を溝（３）に挿入した卓球用フェンス固定具（１）を斜め上から見下ろした図である。卓球用フェンス（７Ａ）の表面側と裏面側の両方にそれぞれ別の卓球用フェンス（７Ｂ、７Ｃ）の側面が接するように、十文字の溝（３）に挿入してある。本実施例は、溝（３）は十文字であるので１の卓球用フェンスに直角に他の卓球用フェンスを配置することができる。本実施例では溝は十文字であるが、溝は一文字でもよい。
【００３１】
図１１は、本考案の卓球用フェンス固定具の実施例２の使用例（２）を示す図である。図１２は、本考案の卓球用フェンス固定具の実施例２の使用例（２）の一部拡大図である。本考案の実施例２の卓球用フェンス固定具（１）は、半球側を上にして床や地面等に置いて、半球部（２）の十文字の溝（３）の交差部分にポール（８）を挿入して使用する。ポール（８）には、会場の案内を張り付けたり、卓球用フェンスのフェンス部分をかぶせるなどして使うことができる。かかる使用例では、十文字に溝(３)を有するため、ポール(８)の側面を４方から押さえてポール（８）が倒れることを防止できる。ポール（８）には会場の案内などを張り付けて使うことができる。なお、本考案の実施例２の卓球用フェンス固定具（１）は、半球側を上にして床や地面等に置いて、半球部（２）の十文字の溝（３）に案内板等を挿入して使用することもできる。
【００３２】
なお、本考案は、上記実施の形態に限定されず、その考案の趣旨を逸脱しない範囲で種々と変形実施が可能である。また、上記各実施の形態の構成要素を考案の趣旨を逸脱しない範囲で任意に組み合わせることができる。
【符号の説明】
【００３３】
１    板固定用台座
２    半球部
３    溝
４    円盤部
５    エッジリング部
６    穴
７    卓球用フェンス
８    ポール
【図１】
0003177634.tif 000003
【図２】
0003177634.tif 000004
【図３】
0003177634.tif 000005
【図４】
0003177634.tif 000006
【図５】
0003177634.tif 000007
【図６】
0003177634.tif 000008
【図７】
0003177634.tif 000009
【図８】
0003177634.tif 000010
【図９】
0003177634.tif 000011
【図１０】
0003177634.tif 000012
【図１２】
0003177634.tif 000013
【図１１】
0003177634.tif 000014